(57)【要約】【課題】デザインや、外観のリニューアルが容易且つ安価に行える面付錠の外装構造を提供する。【解決手段】扉面３７に固定され錠機構を内設するとともに扉面３７に垂直な側面に固定用ネジ孔を有した筐体と、軸部３５が室外側から扉１１及び筐体を貫通する室外側開閉操作部材２３Ａと、筐体に形成され軸部３５が挿通される筒状のボスと、筐体を覆って被せられ固定用ネジ孔に応じた透孔、及びボスに外挿されるボス挿通穴を有した外装ケース１１７と、ボスから突出した軸部３５に、基部端面１３７で開口した挿入穴を嵌合し且つ軸部３５に直交方向の抜止ネジにて軸部３５に固定される室内側開閉操作部材２３Ｂとを備え、外装ケース１１７が、透孔に挿入されて固定用ネジ孔に螺合される固定ネジ１４３と、ボス挿通穴の周縁に当接する室内側開閉操作部材２３Ｂの基部端面１３７とで脱落規制されて筐体に装着される。【選択図】      図３
2008150864.tif 000002
【特許請求の範囲】
【請求項１】
扉面に固定され錠機構を内設するとともに扉面に垂直な側面に固定用ネジ孔を有した筐体と、
軸部が室外側から扉及び該筐体を貫通する室外側開閉操作部材と、
前記筐体に設けられ前記軸部が挿通される筒状のボスと、
前記筐体を覆って被せられ前記固定用ネジ孔に応じた透孔、及び該ボスに外挿されるボス挿通穴を有した外装ケースと、
前記ボスから突出した前記軸部に、基部端面で開口した挿入穴を嵌合し且つ該軸部に直交方向の抜止ネジにて該軸部に固定される室内側開閉操作部材と、
を備え、
前記外装ケースが、前記透孔に挿入されて前記固定用ネジ孔に螺合される固定ネジと、前記ボス挿通穴の周縁に当接する前記室内側開閉操作部材の基部端面とで脱落規制されて前記筐体に装着されたことを特徴とする面付錠の外装構造。
【請求項２】
前記外装ケースに凹部が形成され、
該凹部の底面に前記ボス挿通穴が穿設されたことを特徴とする請求項１記載の面付錠の外装構造。
【請求項３】
前記軸部と前記ボスとの環状空間に、樹脂材料からなる筒状のカラーが介装されたことを特徴とする請求項２記載の面付錠の外装構造。
【請求項４】
前記ボスの外周に雄ネジが形成され、
前記ボス挿通穴の周縁と前記室内側開閉操作部材の基部端面との間に、前記雄ネジに螺合して前記周縁に当接するナットが介装されたことを特徴とする請求項２又は請求項３記載の面付錠の外装構造。
【請求項５】
前記ナットと前記室内側開閉操作部材の基部端面との間に、外装ケース表面と同一面となって前記凹部に収容される化粧リングが介装されたことを特徴とする請求項４記載の面付錠の外装構造。
【発明の詳細な説明】
【技術分野】
【０００１】
本発明は、扉表面に取付けられる面付錠の外装構造に関し、特に、外装デザインの変更を容易にする改良技術に関する。
【背景技術】
【０００２】
近年、ガラス素材の強度向上によって全面ガラス扉が多用されるようになってきている。全面ガラス扉は、例えばオフィスビルの玄関や店舗の入り口に設置される場合に、施錠装置を設ける必要がある。従来、この種の全面ガラス扉に施錠装置を設ける場合には、吊元金具や、上框、下框或いは中央部に付設した金属枠部に施錠装置を設けるのが一般的であった。ところが、施錠装置を設けるために金属枠部分を付設するのでは、折角の全面ガラス扉の意匠性を低下させることがあり、好ましくはこれら金属枠部分が設けられない方が良い。このような不具合を解消するものに、扉ガラス素材に直接穿設した取付穴を利用して、施錠装置のみを全面ガラス扉に取り付けた特許文献１のドア錠が提案されている。このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００３】
上記した従来のドア錠（面付錠）は、扉ガラス素材に直接穿設した取付穴を利用して取付けできることから、金属枠部分を付設する場合に比べ、全面ガラス扉の意匠性を低下させずに済む。しかし、面付錠は、被着体が全面ガラスであることから、意匠性、デザイン性等を更に加味したり、或いは扉周囲のデザインとの兼ね合いで、外観、デザインを変更したい要請のあることが多い。ところが、従来の面付錠は、表面の外装ケースが、錠機構を収容する装置筐体と兼用の一体構造であるため、デザイン等の変更や、外観のみを新しく（リニューアル）する場合には、錠機構を含めた錠装置全体を交換しなければならず、部材費用が高価となるとともに、交換作業にも多大な労力が必要となる問題があった。そして錠機構が使用可能であるにもかかわらず、デザイン変更のためのみに、錠装置全体を交換するのは極めて不経済であり、資源の有効利用にも反することとなった。
【０００４】
本発明は上記状況に鑑みてなされたもので、デザインや、外観のリニューアルが容易且つ安価に行える面付錠の外装構造を提供し、もって、経済性を向上させ、資源の有効利用を図ることを目的とする。
【課題を解決するための手段】
【０００５】
次に、上記の課題を解決するための手段を、実施の形態に対応する図面を参照して説明する。
本発明の請求項１記載の面付錠の外装構造は、扉面３７に固定され錠機構を内設するとともに扉面３７に垂直な側面に固定用ネジ孔１０３を有した筐体１０１と、
軸部３５ａが室外側から扉１１及び該筐体１０１を貫通する室外側開閉操作部材２３Ａと、
前記筐体１０１に設けられ前記軸部３５ａが挿通される筒状のボス１０９と、
前記筐体１０１を覆って被せられ前記固定用ネジ孔１０３に応じた透孔１１９、及び該ボス１０９に外挿されるボス挿通穴１２７を有した外装ケース１１７と、
前記ボス１０９から突出した前記軸部３５ａに、基部端面１３７で開口した挿入穴を嵌合し且つ該軸部３５ａに直交方向の抜止ネジにて該軸部３５ａに固定される室内側開閉操作部材２３Ｂと、
を備え、
前記外装ケース１１７が、前記透孔１１９に挿入されて前記固定用ネジ孔１０３に螺合される固定ネジ１４３と、前記ボス挿通穴１２７の周縁に当接する前記室内側開閉操作部材２３Ｂの基部端面１３７とで脱落規制されて前記筐体１０１に装着されたことを特徴とする。
【０００６】
この面付錠の外装構造では、固定ネジ１４３が外され、抜止ネジを外して軸部３５ａから室内側開閉操作部材２３Ｂが抜脱されれば、筐体１０１に対する外装ケース１１７の脱着規制が解除され、外装ケース１１７が筐体１０１から容易に脱着可能となる。これにより、装着済みの外装ケース１１７が、異なる色やデザインの新規な外装ケースと容易に交換可能となる。その際、錠機構はそのまま再利用して外装ケース１１７のみを交換すればよい。
【０００７】
請求項２記載の面付錠の外装構造は、前記外装ケース１１７に凹部１２９が形成され、
該凹部１２９の底面に前記ボス挿通穴１２７が穿設されたことを特徴とする。
【０００８】
この面付錠の外装構造では、ボス挿通穴１２７が外装ケース表面１３３から凹んだ凹部１２９の底面位置で開口され、ボス挿通穴１２７や、ボス挿通穴１２７から突出する軸部３５ａが見え難くなる。
【０００９】
請求項３記載の面付錠の外装構造は、前記軸部３５ａと前記ボス１０９との環状空間に、樹脂材料からなる筒状のカラー１３５が介装されたことを特徴とする。
【００１０】
この面付錠の外装構造では、軸部３５ａがカラー１３５を介してボス１０９の内壁面に当接し、軸部３５ａの偏芯が抑止され、軸部３５ａの半径方向の振れやガタツキが規制される。
【００１１】
請求項４記載の面付錠の外装構造は、前記ボス１０９の外周に雄ネジ１１１が形成され、
前記ボス挿通穴１２７の周縁と前記室内側開閉操作部材２３Ｂの基部端面１３７との間に、前記雄ネジ１１１に螺合して前記周縁に当接するナット１３９が介装されたことを特徴とする。
【００１２】
この面付錠の外装構造では、ボス１０９の雄ネジ１１１に螺合されたナット１３９がボス挿通穴１２７の周縁に当接され、ボス１０９からのボス挿通穴１２７の抜け、すなわち、ボス１０９からの外装ケース１１７の抜けがナット１３９によっても規制される。
【００１３】
請求項５記載の面付錠の外装構造は、前記ナット１３９と前記室内側開閉操作部材２３Ｂの基部端面１３７との間に、外装ケース表面１３３と同一面となって前記凹部１２９に収容される化粧リング１４１が介装されたことを特徴とする。
【００１４】
この面付錠の外装構造では、外装ケース１１７の抜けを防止するナット１３９が、外装ケース表面１３３と同一面の化粧リング１４１によって覆われ、外装ケース１１７の表面全てが化粧部材の連続する仕上面で覆われることとなる。
【発明の効果】
【００１５】
本発明に係る請求項１記載の面付錠の外装構造によれば、透孔に挿入されて固定用ネジ孔に螺合される固定ネジと、ボス挿通穴の周縁に当接する室内側開閉操作部材の基部端面とで、外装ケースが脱落規制されて筐体に装着されるので、固定ネジを外し、軸部から室内側開閉操作部材を抜脱、例えば軸部に対して室内側開閉操作部材が抜止ネジで固定されている場合にはこの抜止ネジを外すことで、外装ケースを筐体から容易に脱着することができる。これにより、異なる色やデザインの新規な外装ケースと容易に交換することができる。また、錠機構はそのまま再利用して外装ケースのみを交換すればよいので、交換を安価に、容易な作業で短時間に行うことができる。この結果、デザイン変更や、外観のリニューアルを容易且つ安価に行え、面付錠を交換する際の経済性を向上させ、しかも、資源を有効利用することができる。また、このとき室内側開閉操作部材も取り外すことによって外装ケースの交換を行うことから、この外装ケースと同時に室内側開閉操作部材の、色、素材、質感、形状、デザイン等をも変更させることが可能となる。
【００１６】
請求項２記載の面付錠の外装構造によれば、外装ケースに凹部が形成され、この凹部の底面にボス挿通穴が穿設されたので、ボス挿通穴が外装ケース表面から凹んだ位置で開口され、ボス挿通穴や、ボス挿通穴から突出する軸部が見え難くなり、面付錠としての外観・見栄えを良好にすることができる。
【００１７】
請求項３記載の面付錠の外装構造によれば、軸部とボスとの環状空間に、樹脂材料からなる筒状のカラーが介装されたので、軸部がカラーを介してボスの内壁面に当接することが可能となるとともに、カラー端面が室内側開閉操作部材の基部端面に摺接可能となり、軸部の半径方向の振れやガタツキを規制し、且つ室内側開閉操作部材の回転操作力に支障を減らして、室外側開閉操作部材及び室内側開閉操作部材の操作感を良好にすることができる。
【００１８】
請求項４記載の面付錠の外装構造によれば、ボスの外周に雄ネジが形成され、ボス挿通穴と室内側開閉操作部材との間に、雄ネジに螺合してボス挿通穴の周縁に当接するナットが介装されたので、ナットを締結することでボス挿通穴の周縁に当接することとなりボスからのボス挿通穴の抜け、すなわち、ボスからの外装ケースの脱落を確実に阻止することができる。
【００１９】
請求項５記載の面付錠の外装構造によれば、ナットと室内側開閉操作部材との間に、外装ケース表面と同一面となって凹部に収容される化粧リングが介装されたので、外装ケースの凹部を被覆でき、また、外装ケースの抜けを防止するナットが外装ケース表面と同一面の化粧リングによって覆われ、外装ケースの見栄えを良好にすることができる。
【発明を実施するための最良の形態】
【００２０】
以下、本発明に係る面付錠の外装構造の好適な実施の形態を図面を参照して詳細に説明する。
図１は本発明に係る外装構造を備えた面付錠の外観斜視図、図２は図１に示した面付錠の取り付けられた全面ガラス扉を室外側から視た正面図、図３は図１に示した面付錠を室外側から視た分解斜視図である。
【００２１】
本実施の形態による面付錠の外装構造は、開閉体である例えば両開きの全面ガラス扉に好適に用いることができる。この他、当該外装構造は、片開きの全面ガラス扉、両開き・片開きのスチール扉等に用いても好適なものである。本実施の形態では、当該外装構造を備えた図１に示す面付錠１００が両開きの全面ガラス扉１１（１１ａ，１１ｂ）に設けられる例を説明する。
【００２２】
図２に示すように、建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持され、全面ガラス扉１１ａ，１１ｂは一方向（本実施の形態では室内側）へ開放規制可能となる。
【００２３】
全面ガラス扉１１ａ，１１ｂは、例えば一方の全面ガラス扉１１ａが開閉規制され、他方の全面ガラス扉１１ｂのみが開閉可能となる。この場合、一方の全面ガラス扉１１ａの開閉規制は、ヒンジ１５等に設けられる開閉規制手段等によって可能となる。この状態で、他方の全面ガラス扉１１ｂが一方の全面ガラス扉１１ａへ施錠されれば、一対の全面ガラス扉１１ａ，１１ｂの双方は、開閉規制された施錠状態となる。本実施の形態の面付錠１００は、他方の全面ガラス扉１１ｂを一方の全面ガラス扉１１ａへ施錠するように働く。
【００２４】
一方の全面ガラス扉１１ａには被係止体１７が取り付けられ、被係止体１７は面付錠１００から突出する後述のラッチの先端を係止可能としている。つまり、一方の全面ガラス扉１１ａが固定されている状態で、他方の全面ガラス扉１１ｂは、ラッチが被係止体１７に係止することで、室内側（図２の紙面裏面側）への開放が規制される。
【００２５】
面付錠１００は、錠ケース２１と、開閉操作部材であるレバーハンドル２３Ａ，２３Ｂと、ラッチ２５と、サムターン２７と、不図示のシリンダ錠と、トリガー３１とが外部に表出して設けられている。なお、サムターン２７、シリンダ錠、及びトリガー３１は、本実施の形態の構成部材として特に含まれなくても良い。錠ケース２１は、室外側ケース２１ａと室内側ケース２１ｂとからなる。室外側ケース２１ａと室内側ケース２１ｂとは、全面ガラス扉１１ｂの扉開閉端３３を挟持して取り付けられる。室外側ケース２１ａと室内側ケース２１ｂとのそれぞれからは、先端にハンドル部３４を形成したレバーハンドル２３Ａ，２３Ｂの軸部３５が扉面３７に垂直な方向で突出している。
【００２６】
面付錠１００は、全面ガラス扉１１ｂに固定された錠ケース２１から進退するラッチ２５の先端を扉開閉端３３から突出させて、被係止体１７に係止することで全面ガラス扉１１ｂを施錠（開扉規制状態と）する。レバーハンドル２３Ａ，２３Ｂは、扉面３７に垂直な方向で、全面ガラス扉１１ｂ及び錠ケース２１を軸部３５が貫通して回動自在となっている。面付錠１００は、開閉操作部材としてレバーハンドル２３Ａ，２３Ｂが用いられることで、開閉操作部材が例えば玉状握りハンドル等である場合に比べ、回動中心（軸部３５の中心）から操作力の印加される作用点までの距離が大きく確保され、少ない回転操作力が容易且つ確実に錠機構へ入力可能となっている。
【００２７】
室内側ケース２１ｂは、錠機構を内設した筐体１０１を有する。筐体１０１は、室外側ケース２１ａとで全面ガラス扉１１ｂに固定されている。筐体１０１には錠機構へレバーハンドル２３Ａ，２３Ｂからの回動操作力を入力する不図示のカム板が内設され、カム板は貫通穴を有している。この貫通穴にはレバーハンドル２３Ａの角柱状の軸部先端３５ａが室外側から貫通され、軸部先端３５ａは室内側へ所定寸法（２〜３ｃｍ程度）突出している。
【００２８】
筐体１０１の扉面３７に垂直な側面には固定用ネジ孔１０３が形成され、固定用ネジ孔１０３は後述する外装ケースに挿通された固定ネジと螺合する。
【００２９】
図４は図３に示した筐体の斜視図である。
筐体１０１の扉面３７と平行な面１０５には凹み部１０７が形成され、凹み部１０７は軸部先端３５ａの挿通される筒状のボス１０９を固定している。ボス１０９の筒部外周には雄ネジ１１１が形成され、雄ネジ１１１は後述のナットと螺合する。ボス１０９は筒部の基端にフランジ部１１３が形成され、フランジ部１１３は複数の固定穴１１５に凹み部１０７の固定ピンが加締められて筐体１０１へ固定される。
【００３０】
筐体１０１には外装ケース１１７が覆うようにして被せられ、外装ケース１１７は上記の固定用ネジ孔１０３に応じた透孔１１９を有している。外装ケース１１７にはこの他、ラッチ２５を突出させるラッチ開口１２１、トリガー３１を突出させるトリガー開口１２３、サムターン２７を突出させるサムターン開口１２５、ボス１０９を突出させるボス挿通穴１２７が形成されている。
【００３１】
本実施の形態では、外装ケース１１７に凹部１２９が形成され、この凹部１２９の底面１３１にボス挿通穴１２７が穿設されている。ボス挿通穴１２７が外装ケース表面１３３から凹んだ凹部１２９の底面位置で開口されることで、ボス挿通穴１２７や、ボス挿通穴１２７から突出する軸部先端３５ａが見え難くなり、見栄えを良好にすることが可能となっている。
【００３２】
軸部先端３５ａとボス１０９との環状空間には樹脂材料からなる筒状のカラー１３５が介装され、カラー１３５はボス１０９の突出端面に当接する鍔部１３５ａを有する。レバーハンドル２３Ｂの軸部３５がカラー１３５を介してボス１０９の内壁面に当接し、軸部３５の偏芯が抑止され、軸部３５の半径方向の振れやガタツキが規制される。これにより、レバーハンドル２３Ｂの良好な操作感が得られるようになっている。
【００３３】
ボス挿通穴１２７の周縁と、レバーハンドル２３Ｂの基部端面１３７（図１参照）との間には図３に示すナット１３９が介装され、ナット１３９は雄ネジ１１１に螺合してボス挿通穴１２７の周縁に当接する。本実施の形態では、ボス１０９の雄ネジ１１１に螺合されたナット１３９がボス挿通穴１２７の周縁に当接されることで、ボス１０９からのボス挿通穴１２７の抜け、すなわち、ボス１０９からの外装ケース１１７の抜けがナット１３９によって規制されるようになっている。
【００３４】
なお、本発明に係る面付錠の外装構造では、後述するように、レバーハンドル２３Ｂが軸部先端３５ａに固定されることによっても、外装ケース１１７の抜けが規制されるので、雄ネジ１１１及びナット１３９は省略されていてもよい。
【００３５】
ナット１３９とレバーハンドル２３Ｂの基部端面１３７との間には化粧リング１４１が介装され、化粧リング１４１は外装ケース表面１３３と同一面となって凹部１２９に収容される。外装ケース１１７の抜けを防止するナット１３９が、外装ケース表面１３３と同一面の化粧リング１４１によって覆われ、外装ケース表面１３３の全てが化粧部材の連続する仕上面で覆われることになる。これにより、外装ケース１１７の見栄えを良好にしている。
【００３６】
ボス１０９から突出した軸部先端３５ａには、レバーハンドル２３Ｂの基部端面１３７で開口した不図示の挿入穴が嵌合される。そして、レバーハンドル２３Ｂは、軸部３５に直交方向の図示しない抜止ネジにて、軸部先端３５ａに固定される。したがって、外装ケース１１７は、透孔１１９に挿入されて固定用ネジ孔１０３に螺合される固定ネジ（六角穴皿ネジ）１４３と、ナット１３９、化粧リング１４１を介してボス挿通穴１２７の周縁に当接するレバーハンドル２３Ｂの基部端面１３７とで脱落規制されて、筐体１０１に装着される。
【００３７】
面付錠の外装構造では、防犯性を高めるため室外側にネジ頭などが表出しない。また、室外側ケース２１ａは、全面ガラス扉１１ｂを貫通して室内側の錠箱筐体１０１等に固定されるように構成されている。レバーハンドル２３Ａ，２３Ｂは、室内外で一対の構造となっている。外側レバーハンドル２３Ａに固着されている軸部先端（角軸）３５ａは、錠箱筐体１０１内のカム板を貫通し、この角軸先端側には内側レバーハンドル２３Ｂの軸部３５が挿着される。レバーハンドル２３Ｂは、図示しない抜止ネジが軸部３５の半径方向内側へ向かって外周から螺合されることで、軸部先端３５ａに固定される。
【００３８】
上記の構成を有する外装構造の組立手順を説明する。
図５は筐体に外装ケースを被せた状態の取付手順説明図、図６はボスにカラーを挿入した状態の取付手順説明図、図７はボスにナットを螺合した状態の取付手順説明図、図８は凹部に化粧リングを嵌めた状態の取付手順説明図である。
室外側ケース２１ａと筐体１０１とが全面ガラス扉１１ｂに固定されている状態で、図５に示すように、筐体１０１に外装ケース１１７を被せる。外装ケース１１７の透孔１１９に挿入した固定ネジ１４３を筐体１０１の固定用ネジ孔１０３に螺合する。これにより、外装ケース１１７が筐体１０１へ仮固定される。
【００３９】
次いで、図６に示すように、ボス挿通穴１２７の内側にカラー１３５を装着する。図７に示すように、ボス１０９の雄ネジ１１１にナット１３９を螺合する。図８に示すように、ナット１３９を覆うようにして、化粧リング１４１を凹部１２９内に装着する。最後に、レバーハンドル２３Ｂの軸部３５を軸部先端３５ａに挿入し、図示しない抜止ネジをレバーハンドル２３Ｂの軸部３５の半径方向内側へ螺合することで、軸部先端３５ａに固定する。これにより、レバーハンドル２３Ａ，２３Ｂの抜けが規制されると同時に、外装ケース１１７も脱落が規制される。
【００４０】
この面付錠の外装構造では、固定ネジ１４３が外され、抜止ネジを外して軸部先端３５ａからレバーハンドル２３Ｂが抜脱され、化粧リング１４１を除去後、ナット１３９が螺合解除されれば、筐体１０１に対する外装ケース１１７の脱着規制が解除され、外装ケース１１７が筐体１０１から容易に脱着可能となる。これにより、装着済みの外装ケース１１７が、異なる色やデザインの新規な外装ケースと容易に交換可能となる。その際、錠機構はそのまま再利用して外装ケース１１７のみを交換することができる。また、同時にレバーハンドル２３Ｂについても、外装ケース１１７に合わせたデザイン、或いは他の機能を備えた形状等の操作部材に交換可能となる。
【００４１】
したがって、上記の面付錠の外装構造によれば、透孔１１９に挿入されて固定用ネジ孔１０３に螺合される固定ネジ１４３と、ボス挿通穴１２７の周縁に当接するレバーハンドル２３Ｂの基部端面１３７とで、外装ケース１１７が脱落規制されて筐体１０１に装着できるので、固定ネジ１４３を外し、抜止ネジを外して軸部先端３５ａからレバーハンドル２３Ｂを抜脱すれば、外装ケース１１７を筐体１０１から容易に脱着することができる。
【００４２】
これにより、異なる色やデザインの新規な外装ケースと容易に交換することができる。また、錠機構はそのまま再利用して外装ケース１１７のみを交換すればよいので、交換を安価に、容易な作業で短時間に行うことができる。この結果、デザイン変更や、外観のリニューアルを容易且つ安価に行え、面付錠１００を交換する際の経済性を向上させ、しかも、資源を有効利用することができる。
【００４３】
また、上記の実施の形態では、開閉操作部材がレバーハンドル２３Ａ，２３Ｂであるので、玉状握りハンドル等に比べ、少ない回転操作力を容易且つ確実に錠機構へ入力可能にし、操作性を向上させることができる。なお、本発明に係る面付錠の外装構造は、開閉操作部材が玉状握りハンドルであっても勿論よい。
【００４４】
また、上記の実施の形態では、面付錠１００が、両開きの全面ガラス扉１１に設けられる場合を例に説明したが、面付錠１００は、片開きの全面ガラス扉、両開き・片開きのスチール扉等に用いられても勿論よい。
【図面の簡単な説明】
【００４５】
【図１】本発明に係る外装構造を備えた面付錠の外観斜視図である。
【図２】図１に示した面付錠の取り付けられた全面ガラス扉を室外側から視た正面図である。
【図３】図１に示した面付錠を室外側から視た分解斜視図である。
【図４】図３に示した筐体の斜視図である。
【図５】筐体に外装ケースを被せた状態の取付手順説明図である。
【図６】ボスにカラーを挿入した状態の取付手順説明図である。
【図７】ボスにナットを螺合した状態の取付手順説明図である。
【図８】凹部に化粧リングを嵌めた状態の取付手順説明図である。
【符号の説明】
【００４６】
１１…扉
２３Ａ…室外側開閉操作部材（レバーハンドル）
２３Ｂ…室内側開閉操作部材（レバーハンドル）
３５…軸部
３５ａ…軸部先端
３７…扉面
１００…面付錠
１０１…筐体
１０３…固定用ネジ孔
１０９…ボス
１１１…雄ネジ
１１７…外装ケース
１１９…透孔
１２７…ボス挿通穴
１２９…凹部
１３１…凹部の底面
１３３…ケース表面
１３５…カラー
１３７…基部端面
１３９…ナット
１４１…化粧リング
１４３…固定ネジ
【図１】
2008150864.tif 000003
【図２】
2008150864.tif 000004
【図３】
2008150864.tif 000005
【図４】
2008150864.tif 000006
【図５】
2008150864.tif 000007
【図６】
2008150864.tif 000008
【図７】
2008150864.tif 000009
【図８】
2008150864.tif 000010